(57)【特許請求の範囲】
【請求項１】
複数展示された展示物に関するデータを提供する展示物のデータ提供システムであって、
前記各展示物に対応して配置され、その展示物の識別データを、非接触ＩＣタグに書き込む非接触ＩＣリーダライタと、
前記各展示物の詳細データを記憶し、近距離無線接続手段を使用することにより前記識別データを受信することができる携帯端末とを備え、
前記非接触ＩＣタグを前記非接触ＩＣリーダライタに近接させることにより、前記非接触ＩＣタグに前記非接触ＩＣリーダライタから出力された前記識別データが書き込まれる際に、
前記非接触ＩＣリーダライタは、前記近距離無線接続手段を使用することにより前記携帯端末に前記識別データを送信し、前記携帯端末に前記識別データに対応する前記詳細データを出力させること
を特徴とする展示物のデータ提供システム。
【発明の詳細な説明】
【０００１】
【発明の属する技術分野】
本発明は、美術館や博物館などの展示物の詳細データを、閲覧者に提供する展示物のデータ提供システムに関するものである。
【０００２】
【従来の技術】
従来、この種の展示物では、詳細データが欲しい場合に、出版物やパンフレットを購入して持ち帰ることが多かった。
【０００３】
【発明が解決しようとする課題】
しかし、前述した従来の方法では、全ての展示物に対して、詳細データを掲載してあるので、画像が小さかったり、データの内容が乏しい等の問題があった。このため、詳細データの内容を充実させようとすると、非常に高価な出版物となってしまい、実情にあわなかった。
また、携帯端末を貸し出して、興味のある展示物に対応する識別番号などを入力することにより、その場で画像や音声による解説をするシステムもあるが、携帯端末を操作する煩わしさがあるうえ、詳細データを持ち帰ることはできなかった。
【０００４】
本発明の課題は、興味を引かれた展示物の詳細データのみを安価に閲覧者に提供することができる展示物のデータ提供システムを提供することである。
【０００５】
【課題を解決するための手段】
前記課題を解決するために、請求項１の発明は、複数展示された展示物に関するデータを提供する展示物のデータ提供システムであって、前記各展示物に対応して配置され、その展示物の識別データを、非接触ＩＣタグに書き込む非接触ＩＣリーダライタと、前記各展示物の詳細データを記憶し、近距離無線接続手段を使用することにより前記識別データを受信することができる携帯端末とを備え、前記非接触ＩＣタグを前記非接触ＩＣリーダライタに近接させることにより、前記非接触ＩＣタグに前記非接触ＩＣリーダライタから出力された前記識別データが書き込まれる際に、前記非接触ＩＣリーダライタは、前記近距離無線接続手段を使用することにより前記携帯端末に前記識別データを送信し、前記携帯端末に前記識別データに対応する前記詳細データを出力させることを特徴とする展示物のデータ提供システムである。
【００１０】
【発明の実施の形態】
以下、図面等を参照して、本発明の実施の形態について、さらに詳しくに説明する。
図１は、本発明による展示物のデータ提供システムの実施形態を示したブロック図である。
この実施形態の展示物のデータ提供システムは、入場受付３０において、閲覧者に対して、会員証となる非接触ＩＣタグ１０を発行すると共に、場内４０で使用する携帯端末２０を貸与する。
【００１１】
非接触ＩＣタグ１０は、非接触で非接触ＩＣリーダライタＲ／Ｗとデータの交換を行なう媒体であり、後述する会員データや展示物の識別データなどを記録する。
携帯端末２０は、展示物の詳細データを記憶する記憶部，その詳細データを文字又は画像で表示する表示部，その詳細データを音声でガイドする発声部などを備えた可搬型の情報端末であって、非接触リーダライタＲ／Ｗから出力される展示物の識別データに基づいて、対応する詳細データを出力する。
なお、非接触ＩＣタグ１０をリーダライタＲ／Ｗにかざしたときに、非接触ＩＣタグ１０にログを書き込むと同時に携帯端末２０に信号を送る手段は、２．４ＧＨｚ帯の電波を使う、いわゆるブルートゥースや、赤外線等を使う近距離無線接続技術を使用することができる。
【００１２】
入場受付３０には、受付端末３１と、ＩＣタグリーダ３２などが配置されている。
受付端末３１は、非接触ＩＣリーダライタＲ／Ｗ０が接続されており、住所，氏名などを含む会員データが記載された入会申込み書に基づいて、会員データを入力すると、個人ＩＤが付与された非接触ＩＣタグ１０を即時発行すると共に、再来受付を行なう端末である。
ＩＣタグリーダ３２は、再来者が非接触ＩＣタグ１０を近接させると、本日の来場ポイント、合計ポイント、前回の来場日などを表示部３２ａに表示する装置である。
【００１３】
場内４０には、展示品Ａ〜Ｎなどが展示されている。非接触ＩＣリーダライタＲ／Ｗ１〜Ｒ／Ｗｎは、非接触ＩＣタグ１０とのデータの授受を行なう装置であり、展示品Ａ〜Ｎごとに設置されている。この非接触ＩＣリーダライタＲ／Ｗは、スタンドアローンのリーダライタであるので、ネットワークを構築する必要がなく、安価に設備を構築することができる。
【００１４】
退場受付５０には、管理サーバー５１と、編集サーバー５５と、Ｅ−mail配信サーバー５９等とが配置され、前述した受付端末３１や非接触ＩＣタグリーダ３２等と共に、ネットワークによって接続されている。
管理サーバー５１は、会員データ５２と、閲覧履歴５３と、ポイントデータ５４等を記憶部に記憶しており、閲覧履歴を収集する非接触ＩＣリーダライタＲ／Ｗが接続されている。なお、会員データ５２や閲覧履歴５３を蓄積することにより、展示場の運営に利用することができる。
【００１５】
編集出力サーバー５５は、各展示物Ａ〜Ｎの画像や説明などの詳細データを記憶した素材ＤＢ５６と、その詳細データを編集する編集エンジン５７を備えており、編集されたオンデマンドリーフレット６１を出力可能な昇華転写式プリンタ等の出力機５８が接続されている。
Ｅ−mail配信サーバー５９は、編集出力サーバー５５で編集された詳細データを電子カタログ６２として、Ｅ−mail配信する装置である。なお、電子カタログ６２は、ユーザーが編集できないようにプロテクトがかけられていることが望ましい。
【００１６】
データ管理センター７０では、大型コンピュータ７１が、この展示場のネットワークとインターネットなどを介して接続されており、展示場と同様な、会員データ７２，閲覧履歴７３，素材ＤＢ７６等を記憶しており、より高精細なオンデマンドリーフレット８１の作製や、電子カタログ８２の配信を行なうことができる。
なお、データ管理センター７０は、展示場に編集サーバー５５などを持たない場合に各展示場で共通に使用したり、展示場よりも高精細であったり、印刷物などのハード形式を望む場合など併設することが好ましい。
【００１７】
図２〜図４は、本実施形態による展示物のデータ提供システムの動作を示すフローチャート、図５は、本実施形態による展示物のデータ提供システムの動作を示す説明図である。
この展示場の入場受付３０では、再来場か否かを判断して（Ｓ１０１）、初めての場合には、住所，氏名などの会員データを入力して、会員証として非接触ＩＣタグ１０を発行する（Ｓ１０２）。そして、その非接触ＩＣタグ１０を用いて、入場受付を行なう（Ｓ１０３）。
【００１８】
入場受付のサブルーチンがコールされると（Ｓ１０３）、携帯端末２０を使用するか否かを聞いて（Ｓ１０３１）、使用する場合には、携帯端末２０の設定を行なう（Ｓ１０３２）。
ついで、データの出力形式を聞いて（Ｓ１０３３）、オンデマンドリーフレット６１の設定（Ｓ１０３４）か、電子カタログ６２のＥ−mailによる配信の設定（Ｓ１０３４５）を行なってリターンする。
【００１９】
場内４０では、イベント会場や展示会場を回り、興味をひいた箇所でリーダライタＲ／Ｗ１〜Ｒ／Ｗｎに、図５（ａ）に示すように、非接触ＩＣタグ１０をかざして交信し（Ｓ２０１）、識別データを記録する（Ｓ２０２）。
それと同時に、携帯端末１０の使用が設定されている場合には、識別データを送信して、携帯端末１０に該当する展示物の詳細データ（画像，文字，音声など）を表示させる（Ｓ２０３）。非接触ＩＣタグ１０をかざすだけで、識別データの記録や携帯端末１０への指示ができるので、煩雑な操作がない。
この動作を、展示物Ａ〜Ｎについて行ない、図５（ｂ）に示すように、非接触ＩＣタグ１０にデータ領域に、展示物ごとのフラグを立てることにより閲覧履歴を書き込む。
【００２０】
退場受付５０では、非接触ＩＣタグ１０を回収し、管理サーバー５１で閲覧履歴を回収する（Ｓ３０１）。編集出力サーバー５５は、その閲覧履歴に基づいて、素材ＤＢ５６のデータを、編集エンジンを用いて編集する（Ｓ３０２）。
非接触ＩＣタグ１０に設定された出力形式を見て（Ｓ３０３）、印刷に設定されている場合には、出力機５８を用いて、図５（ｃ）に示すように、オンデマンドリーフレット６１を作製する（Ｓ３０４）。
一方、電子カタログ６２が設定されている場合には、Ｅ−mailサーバー５９に対して、Ｅ−mailによる配信を指示する（Ｓ３０５）。
【００２１】
その後に、管理サーバー５１は、閲覧履歴５３の更新（Ｓ３０６）と、ポイントデータ５４の更新（Ｓ３０７）を行なって、処理を終了する。
【００２２】
以上説明した実施形態に限定されることなく、種々の変形や変更が可能であって、それらも本発明の均等の範囲内である。
（１）データキャリアは、非接触ＩＣタグの例で説明したが、接触ＩＣタグでもよいし、非接触や接触式の若しくは共用式のＩＣカードでもよい。また、磁気カードを用いてもよい。
【００２３】
（２）展示場の例で説明したが、美術館，博物館など、データショウ，ゲームショウ，モータショウなどの各種イベント会場、動物園，植物園，水族館などにも、同様にして適用することができる。
【００２４】
（３）非接触ＩＣタグは、会員証の例で説明したが、退場受付で回収する入場券として使用してもよい。
（４）  携帯端末２０は、非接触リーダライタＲ／Ｗから出力される展示物の識別データに基づいて、対応する詳細データを出力する例で説明したが、非接触ＩＣタグ１０から出力される識別データに基づいて出力するようにしてもよい。
【００２５】
【発明の効果】
以上詳しく説明したように、本発明によれば、展示物を展示した場内でネットワークを構築することなく、必要な詳細データのみを、安価に提供することができる、という効果がある。
【図面の簡単な説明】
【図１】本発明による展示物のデータ提供システムの実施形態を示したブロック図である。
【図２】本実施形態による展示物のデータ提供システムの動作（入場受付処理）を示すフローチャートである。
【図３】本実施形態による展示物のデータ提供システムの動作（閲覧処理）を示すフローチャートである。
【図４】本実施形態による展示物のデータ提供システムの動作（退場受付処理）を示すフローチャートである。
【図５】本実施形態による展示物のデータ提供システムの動作を示す説明図である。
【符号の説明】
１０  非接触ＩＣタグ
２０  携帯端末
３０  入場受付
３１  受付端末
３２  ＩＣタグリーダ
Ｒ／Ｗ  非接触ＩＣリーダライタ
４０  場内
Ａ〜Ｎ  展示物
５０  退場受付
５１  管理サーバー
５２  会員データ
５３  閲覧履歴
５４  ポイントデータ
５５  編集出力サーバー
５６  素材ＤＢ
５７  編集エンジン
５８  出力機
５９  Ｅ−mail配信サーバー
６１  オンデマンドリーフレット
６２  電子カタログ
７０  データ管理センター
７１  大型コンピュータ
７２  会員データ
７３  閲覧履歴
７４  素材ＤＢ
８１  オンデマンドリーフレット
８２  電子カタログ
【図１】
0004774608.tif 000002
【図２】
0004774608.tif 000003
【図３】
0004774608.tif 000004
【図４】
0004774608.tif 000005
【図５】
0004774608.tif 000006